(57)【要約】【課題】保証書カードを納品書と一体にした状態で納品先に送ることができて、納品先に送るまでの保証書と納品書の管理が容易であるとともに、納品先では保証書カードを商品購入者に手渡す一方、所定情報をそれぞれ記入した納品書とカード片とを分離した状態で各別に保管できることにより、これらカード片と納品書に記入された情報に基づいて行う販売商品のアフターケア管理が容易である保証書カード付き納品書を提供する。【解決手段】保証書付き納品書１は、カード用紙２と納品書３とを切り取り部５を介して連接してなり、カード用紙２には、その表面に保証情報を記入する保証書カード８をその裏面において剥離可能に接着するとともに、この保証書カード８以外の部分に、納品書３には記載されない情報を含む納品する商品に関する情報を記入する。【選択図】        図１
2004262019.tif 000002
【特許請求の範囲】
【請求項１】
カード用紙と納品書とを切り取り部を介して連接してなり、前記カード用紙には、その表面に保証情報を記入する保証書カードをその裏面において剥離可能に接着するとともに、この保証書カード以外の部分に、前記納品書には記入されない情報を含む納品する商品に関する情報を記入することを特徴とする保証書カード付き納品書。
【発明の詳細な説明】
【０００１】
【発明の属する技術分野】
本発明は、納品書に関し、特に、保証書カードを備えた保証書カード付き納品書に関する。
【０００２】
【従来の技術】
従来から、各種の納品書が知られているが、納品書とともに保証書が必要とされる場合は、別途保証書を作成して両者を別体として構成し、各別に使用している。
【０００３】
【発明が解決しようとする課題】
従来の保証書と別体に設けた納品書によると、納品書と保証書を各別に保管、管理しなければならないので煩雑であるという不都合があった。本発明は、この不都合を解消するとともに、納品書の商品販売における管理も容易な保証書付き納品書を提供することを目的とする。
【０００４】
【課題を解決するための手段】
この目的を達成するために、本願発明の請求項１に係る保証書付き納品書は、カード用紙と納品書とを切り取り部を介して連接してなり、前記カード用紙には、その表面に保証情報を記入する保証書カードをその裏面において剥離可能に接着するとともに、この保証書カード以外の部分に、前記納品書には記入されない情報を含む納品する商品に関する情報を記入するものである。
【０００５】
【発明の実施の形態】
以下、本発明の好適な実施の形態を添付図面に基づいて詳細に説明する。ここにおいて、図１は保証書付き納品書の平面図、図２はそのＡ−Ａ線端面図である。
【０００６】
図１及び図２に示すように、保証書付き納品書１は、カード用紙２と納品書３と商品収納用紙４とを、切り取り部たる折り兼切り用ミシン目５，６を介して連接してなる。前記カード用紙２はさらに、切り用ミシン目７を境にして、カード片２ａと納品先表示片２ｂとに区画されている。また、前記カード用紙２と前記納品書３と前記商品収納用紙４のそれぞれの天地方向の長さ、すなわち各ミシン目５，６，７に対して直角方向の長さは、ほぼ等しく設定されている。したがって、各折り兼切り用ミシン目５，６で折り重ねて三つ折り状態にすると、天地方向の長さは、図示する展開状態のほぼ３分の１となる。
【０００７】
図１に示すように、カード片２ａのほぼ中央部には、保証書カード８を剥離可能に接着している。この剥離可能な接着は、前記保証書カード８の裏面を、一旦接着した後に剥離可能な弱い接着力を有する感圧性弱接着剤３３を介して、カード片２ａに接着して行っている（図２参照）。この保証書カード８の表面には、保証情報である購入者名、購入日、商品番号、販売店名をそれぞれ記入する購入者名記入部１１、購入日記入部１２、商品番号記入部１３、販売店名記入部１４と、販売店印を捺印する販売店捺印部１５を設けている。
【０００８】
カード片２ａにおける保証書カード８接着部分の右側には、納品する商品である眼鏡に関する情報である注文受付番号、左右各レンズの商品番号、左右各レンズの仕上げ加工内容、フレームの商品番号をそれぞれ記入する注文受付番号記入部１６、右レンズ商品番号記入部１７、右レンズ仕上げ加工内容記入部１８、左レンズ商品番号記入部１９、左レンズ仕上げ加工内容記入部２０、フレーム商品番号記入部２１を設けている。なお、前記左右各レンズの仕上げ加工内容は、納品書３には記入されない情報である。
【０００９】
また、納品先表示片２ｂには、納品先の名称及びＩＤコードを記入する納品先記入部２２と、受付番号を数字とバーコードで表示する受付番号記入部２３とを設けている。
【００１０】
同じく図１に示すように、納品書３には、納品先の名称を記入する納品先記入部２４、伝票番号を記入する伝票番号記入部２５、納品日を記入する納品日記入部２６、受付番号を記入する受付番号記入部２７、納品明細記入部２８を設けている。この納品明細記入部２８は、納品する商品の商品名及び商品番号、単価、数、金額を記入するものである。
【００１１】
さらに、商品収納用紙４には、左右各レンズを収納するための一対の袋状収納部９，１０を設けている。これら袋状収納部９，１０の表面には、収納するレンズの商品番号と仕上げ加工内容を記入する右レンズ商品番号記入部２９、右レンズ仕上げ加工内容記入部３０、左レンズ商品番号記入部３１、左レンズ仕上げ加工内容記入部３２を設けている。
【００１２】
上述した各記入部１１〜３２には、納品書３を作成する際に、未だ特定できない情報である購入者名、購入日及び納品日を記入する、保証書カード８の購入者名記入部１１及び購入日記入部１２と、納品書３の納品日記入部２６、並びに保証書カード８の販売店捺印部１５を除いて、所定の情報を印字記入するものである。この印字記入は、あらかじめ印字データを入力しておいた図示していないコンピュータに連動するプリンタによって行われる。
【００１３】
上述の所定事項を印字記入した保証書カード付き納品書１は、各袋状収納部９，１０にそれぞれ所定の加工を施した納品対象である左右各レンズ（図示せず）を収納し、同じく納品対象であるフレームとともに、注文を受けた販売店に送られる。
【００１４】
納品時に納品書３の納品日記入部２６に日付が記入される。この保証書カード付き納品書１と商品を受領した販売店では、商品の販売にあたって、各ミシン目５，６，７を破断し、保証書カード８の購入者名記入部１１と購入日記入部１２に所定事項を記入するとともに、販売店捺印部１５に販売店印を捺印し、保証書カード８をカード片２ａから剥離する。そして、フレームに各レンズを装着してなる眼鏡（図示せず）を、前記保証書カード８とともに購入者に手渡し、前記保証書カード８は購入者が保管するものである。
【００１５】
一方、販売店では保証書カード８を剥離した後のカード片２ａと、納品書３とを保管し、これらカード片２ａと納品書３に記入された情報に基づいて、販売商品のアフターケア管理を行うものである。
【００１６】
なお、本発明は、上述の実施形態に限定されるものではなく、例えば、納品先表示片２ｂや収納用紙４は必ずしも設ける必要はない。また、保証書カード８やカード片２ａに記入する情報も上述したものに限定されない。
【００１７】
【発明の効果】
以上のように、本発明の請求項１に係る保証書カード付き納品書によれば、保証書カードを納品書と一体にした状態で納品先に送れるので、納品先に送るまでの保証書と納品書の管理が容易であり、また、納品先では保証書カードを商品購入者に手渡す一方、所定情報をそれぞれ記入した納品書とカード片とを分離した状態で各別に保管できるので、これらカード片と納品書に記入された情報に基づいて行う販売商品のアフターケア管理も容易であるという効果を奏する。
【図面の簡単な説明】
【図１】保証書カード付き納品書の平面図。
【図２】図１のＡ−Ａ線端面図。
【符号の説明】
１      保証書カード付き納品書
２      カード用紙
２ａ      カード片
２ｂ      納品先表示片
３      納品書
４      収納用紙
５，６      折り兼切り用ミシン目
８      保証書カード
３３      感圧性弱接着剤
【図１】
2004262019.tif 000003
【図２】
2004262019.tif 000004